(57)【要約】【課題】      糸止めと、棚取りの両機能を有する魚釣用リ−ルを提供することである。【解決手段】  釣糸係止装置Ａは、スプ−ル４に形成された前後方向に長い貫通孔４ｅと、この貫通孔４ｅに挿入されて前後方向に移動可能な緩衝部材５と係止部材６と、緩衝部材５の軸部５ａと係止部材６の軸部６ａを長い貫通孔４ｅ内の後方に付勢すると共に径方向内方に付勢するバネ部材７で構成されている。  釣糸係止装置Ａは、スプ−ル４の円筒スカ−ト部４ｃの外周の前側に段部４ｆで半円形状の大径の凹部４ｇが形成され、大径の凹部４ｇの中に前方が開放された凹部４ｈと前後方向に長い貫通孔４ｅが形成されている。【選択図】        図５
2010148477.tif 000002
【特許請求の範囲】
【請求項１】
魚釣用リ−ルのスプ−ルの適宜部位に貫通孔を形成し、該貫通孔に釣糸係止部を有する係止部材の軸部を挿入して弾性的に抜け止め係止し、前記釣糸係止部とスプ−ルとの間に釣糸を挾持可能とした釣糸係止装置を備えた魚釣用リ−ルにおいて、前記貫通孔を前後方向に長孔状に形成し、前記スプ−ル内部に突出した係止部材の軸部とスプ−ル内面との間に該軸部をスプ−ルの径方向内方に付勢すると共に、前記貫通孔に沿って前後方向又は前後左右方向に移動可能に付勢するバネ部材を設けたことを特徴とする魚釣用リ−ル。
【発明の詳細な説明】
【技術分野】
【０００１】
本発明は、糸止めと、棚取り両機能を有する釣糸係止装置を備えた魚釣用リ−ルに関する。
【背景技術】
【０００２】
魚釣用リ−ルにおいては、スピニングリ−ルのスプ−ルや両軸受リ−ルの側板等の適宜部位に、釣糸を係止する釣糸係止装置（糸止め）が、特許文献１や特許文献２で見られるように、従来から一般的に知られている。
特許文献１で開示されている釣糸係止装置は、リ−ル本体の外壁に貫通孔を有するラインストッパ−受けを設け、大径頭部を有するラインストッパ−の軸部を貫通孔に上下方向にスライド可能に挿入して、バネ部材でラインストッパ−の軸部を弾性係止し、大径頭部とラインストッパ−受け間で釣糸を挾持係止する構造である。
特許文献２で開示されている釣糸係止装置は、スプ−ルやリ−ル本体の構成部材に形成した貫通孔に、ゴムで一体形成された係止部材を挿入して弾性的に抜け止め係止した構造である。
又、特許文献３で開示されている保持手段は、外側からアクセス可能な側に、釣糸を固定するためのクリップを有している。
又、保持手段は、クリップとは逆の側に、半径方向に延びるガイド凸部を備えており、当該ガイド凸部が、段部の長手方向破断部内で案内されている。
破断部がスプ−ル軸に対して平行に延び、凸部は、その自由端で、スプ−ル内部で支持された圧縮ばねと接続されている。
保持手段は、圧縮ばねの力に抗してばね変位により双方向に移動可能であるようにスプ−ルに取り付けられている。
【特許文献１】実公平４−８７８０号公報
【特許文献２】特許第３３３０４８１号公報
【特許文献３】ＤＥ２０  ２００５  ０１６  ００７  Ｕ１号公報
【発明の開示】
【発明が解決しようとする課題】
【０００３】
解決しようとする問題点は、特許文献１によれば、実用時、ラインストッパ−を棚取りとして使用する場合があるが、糸の繰り出し停止時に、ラインストッパ−に急激な負荷が直接加わることになり、ラインストッパ−の破損や、釣糸の損傷の可能性がある。
特許文献２によれば、ゴム一体成形のラインストッパ−のため、ライン係止部が外側にめくれて、糸が外れる可能性があり、棚取りとして使用する際、急激な負荷でラインストッパ−が変形し、スプ−ルから外れる可能性がある。
特許文献３によれば、通常の糸止めとしての使用を容易に行うことができない。
特許文献１〜３の従来技術ではいずれも、糸止めと、棚取りの両機能を、実釣時に支障なく、使い分けることが出来ず、幅広い対応が行えない。
【０００４】
本発明の目的は前記欠点に鑑み、糸止めと、棚取り両機能を有する魚釣用リ−ルを提供することである。
【課題を解決するための手段】
【０００５】
本発明の請求項１は、魚釣用リ−ルのスプ−ルの適宜部位に貫通孔を形成し、該貫通孔に釣糸係止部を有する係止部材の軸部を挿入して弾性的に抜け止め係止し、前記釣糸係止部とスプ−ルとの間に釣糸を挾持可能とした釣糸係止装置を備えた魚釣用リ−ルにおいて、前記貫通孔を前後方向に長孔状に形成し、前記スプ−ル内部に突出した係止部材の軸部とスプ−ル内面との間に該軸部をスプ−ルの径方向内方に付勢すると共に前記貫通孔に沿って前後方向又は前後左右方向に移動可能に付勢するバネ部材を設けたことを要旨とするものである。
【発明の効果】
【０００６】
本発明により、棚取りの動作で釣糸に急激な負荷が直接加わる時でも、釣糸を係止する係止部材の軸部がバネ部材に抗してスプ−ルの貫通孔内を前方側に移動するので急激な負荷が緩和される。
更に糸止めと、棚取りの両機能を、実釣時に支障なく、使い分けることが出来、幅広い対応を行うことができると共に１つのバネ部材で、棚取り時における衝撃の緩衝、糸止め機能の両方を兼ねており、構造の簡略化、コストダウンを図れる。
【発明を実施するための最良の形態】
【０００７】
釣糸係止装置Ａは、スプ−ル４に形成された前後方向に長い長孔状の貫通孔４ｅと、この貫通孔４ｅに挿入されて前後方向に移動可能な緩衝部材５と係止部材６と、緩衝部材５の軸部５ａと係止部材６の軸部６ａを長い貫通孔４ｅ内の後方に付勢すると共に径方向内方に付勢するバネ部材７で構成されている。
釣糸係止装置Ａは、スプ−ル４の円筒スカ−ト部４ｃの外周の前側に段部４ｆで半円形状の大径の凹部４ｇが形成されている。
更に大径の凹部４ｇの中に前方が開放された凹部４ｈと前後方向に長い貫通孔４ｅが形成されている。
貫通孔４ｅには緩衝部材５の中空の軸部５ａと係止部材６の中実の軸部６ａが前後に移動可能に挿入されている。
中空の軸部５ａの外周にはバネ部材７が嵌合されて抜け止めリング１７で抜け止めされている。
緩衝部材５は軟質樹脂やゴム等の緩衝材で中空の軸部５ａと中空き円板部５ｂで一体に形成されて中空の軸部５ａの中に中実の軸部６ａが挿入されている。
係止部材６は金属材や硬質の合成樹脂材で中実の軸部６ａと円板部６ｂで一体に形成されて円板部６ｂの外周の下面にスカ−トからなる釣糸係止部６ｃが形成されると共に釣糸係止部６ｃの内側に凹部６ｄが形成されて凹部６ｄ内に中空き円板部５ｂが収納されている。
中実の軸部６ａの下側外周には溝６ｅが形成されて抜け止めリング１７が嵌められている。
バネ部材７は巻き部７ａと２本の腕部７ｂ、７ｂで形成されて２本の腕部７ｂ、７ｂはスプ−ル４の円筒スカ−ト部４ｃの内面４ｉの後側鍔部４ｄの裏面凹部４ｊに当接されている。
【実施例１】
【０００８】
以下、図示の実施例によって本発明を説明すると、魚釣用リ−ルを魚釣用スピニングリ−ルで述べると、図１から図５は第１実施例で、図１は魚釣用スピニングリ−ルの側面図、図２は釣糸係止装置の要部拡大断面側面図、図３は釣糸係止装置の要部拡大側面図、図４は釣糸係止装置の分割外観斜視図、図５は釣糸が係止された釣糸係止装置の要部拡大断面側面図である。
【０００９】
魚釣用スピニングリ−ルは、箱形のリ−ル本体１に蓋体２が取り付けられ、リ−ル本体１の上側には上向きに延びる脚部１ａが形成されている。
リ−ル本体１と蓋体２で保持された図示しない軸受で駆動歯車１０の図示しない回転軸が軸承されてハンドル１１で駆動歯車１０が駆動回転される。
リ−ル本体１の前部の筒部１ｂ内の図示しない軸受で回転軸筒３の前側が回転自在に支持され、リ−ル本体１内の図示しない軸受部に回転軸筒３の基端が嵌合支持され、基端の前側に一体的にピニオン３ａが形成されて駆動歯車１０に噛合されている。
回転軸筒３の中心透孔には前側にスプ−ル４が取り付けられたスプ−ル軸１２が前後往復動可能に摺動自在に挿入されている。
リ−ル本体１内のスプ−ル軸１２の側部にオシレ−ト機構のトラバ−スカム軸１３が設けられて回転軸筒３の回転に連動して回転され、スプ−ル軸１２の後端に摺動子１４がビス１５で固定されている。
摺動子１４内にはトラバ−スカム軸１３のカム溝に係合する図示しない係合子が設けられている。
【００１０】
スプ−ル４は前側鍔部４ａと釣糸１６が巻回される釣糸巻回胴部４ｂと円筒スカ−ト部４ｃを備えた後側鍔部４ｄとで形成されている。
スプ−ル４の円筒スカ−ト部４ｃの外周の前側には釣糸係止装置Ａが設けられている。
釣糸係止装置Ａは、スプ−ル４に形成された前後方向に長い長孔状の貫通孔４ｅと、この貫通孔４ｅに挿入されて前後方向に移動可能な緩衝部材５と係止部材６と、緩衝部材５と係止部材６を長い貫通孔４ｅの後方に付勢すると共に径方向内方に付勢するバネ部材７で構成されている。
尚、前後方向とは、釣糸が放出される方向を前方としている。
釣糸係止装置Ａは、スプ−ル４の円筒スカ−ト部４ｃの外周の前側に段部４ｆで半円形状の大径の凹部４ｇが形成されている。
更に大径の凹部４ｇの中に前方が開放された凹部４ｈと前後方向に長い貫通孔４ｅが形成されている。
貫通孔４ｅには緩衝部材５の中空の軸部５ａと係止部材６の中実の軸部６ａが前後に移動可能に挿入されている。
中空の軸部５ａの外周にはバネ部材７が嵌合されて抜け止めリング１７で抜け止めされている。
緩衝部材５はゴム等の緩衝材で中空の軸部５ａと中空き円板部５ｂで一体に形成されて中空の軸部５ａの中に中実の軸部６ａが挿入されている。
係止部材６は金属材や硬質の合成樹脂材で中実の軸部６ａと円板部６ｂで一体に形成されて円板部６ｂの外周の下面にスカ−トからなる釣糸係止部６ｃが形成されると共に釣糸係止部６ｃの内側に凹部６ｄが形成されて凹部６ｄ内に中空き円板部５ｂが収納されている。
中実の軸部６ａの下側外周には溝６ｅが形成されて抜け止めリング１７が嵌められている。
バネ部材７は巻き部７ａと２本の腕部７ｂ、７ｂで形成されて２本の腕部７ｂ、７ｂはスプ−ル４の円筒スカ−ト部４ｃの内側面４ｉの後側鍔部４ｄの裏面凹部４ｊに当接されている。
【００１１】
回転軸筒３の前端にロ−タ８の中心筒部８ａが回り止め嵌合されて図示しないナットで取り付けられている。
ロ−タ８は中心筒部８ａと保持壁８ｂと大径の筒部８ｃと大径の筒部８ｃの基部の外周から前方に向けて突出された一対のア−ム部８ｄ、８ｅとで形成されてア−ム部８ｄ内の先端軸部に一方のベ−ル支持部材１８がビス１９で止められ、ア−ム部８ｅ内の先端軸部に他方のベ−ル支持部材２０がビス２１で止められて釣糸巻取状態と釣糸放出状態に反転自在に軸承されている。
一方のベ−ル支持部材１８にはロ−ラからなる釣糸案内部２２の取付部２３が取り付けられている。
他方のベ−ル支持部材２０と取付部２３の間にベ−ル２４が取り付けられている。
【００１２】
前記魚釣用スピニングリ−ルの動作は、釣糸１６がスプ−ル４に巻回される方向にハンドル１１が回転されると、駆動歯車１０が回転されてピニオン３ａを介して回転軸筒３とロ−タ８が正回転される。
釣糸１６がスプ−ル４に巻回される時は、一方のベ−ル支持部材１８に設けられた釣糸案内部２２のロ−ラで釣糸１６が案内されて前後に往復動されるスプ−ル４に平行に巻回される。
【００１３】
釣糸係止装置Ａの作用は、スプ−ル４の釣糸巻回胴部４ｂに巻回された釣糸１６の終端が係止される時は、釣糸１６の端を持って大径の凹部４ｇ上面と係止部材６の円板部６ｂの外周後方の釣糸係止部６ｃの下側から緩衝部材５の中空き円板部５ｂを介して軸部５ａ側に向けて、釣糸１６を差し込むと、釣糸１６は前方が開放された凹部４ｈの中に落ち込んで、凹部４ｇの上面と円板部５ｂ及び円板部６ｂとの間で挾持される。
棚取りで釣糸１６の途中を係止する時は、釣糸１６の途中を持って上記と同様に大径の凹部４ｇ上面と係止部材６の円板部６ｂの外周後方の釣糸係止部６ｃの下側から緩衝部材５の中空き円板部５ｂの下側に差し込む。
棚取りでは釣糸１６の途中を係止後、釣糸１６の前側が釣糸巻回胴部４ｂに巻回される。
棚取りの動作では、仕掛が投擲されると釣糸１６が繰り出されて係止箇所で繰り出しが停止される。
この時、釣糸１６は急激な負荷を受けることになるが、係止部材６の釣糸係止部６ｃと緩衝部材５の中空き円板部５ｂで挾持されていると共に係止部材６の軸部６ａと緩衝部材５の軸部５ａが釣糸１６の張力でバネ部材７に抗して貫通孔４ｅ内を前方に移動して衝撃が緩和される。
【００１４】
前記のように魚釣用リ−ルが構成されると、棚取りの動作で釣糸１６が急激な負荷を受ける時でも、釣糸１６とスプ−ル４と係止部材６の釣糸係止部６ｃと緩衝部材５との間での挾持と、係止部材６の軸部６ａと緩衝部材５の軸部５ａがバネ部材７に抗してスプ−ル４の貫通孔４ｅ内を前方に移動するので衝撃が緩和される。
更に糸止めと、棚取りの両機能を、実釣時に支障なく、使い分けることが出来、幅広い対応を行うことができると共に１つのバネ部材７で、キャスト操作の棚取り時における衝撃の緩衝、と巻き終わり終端の釣糸１６の糸止め機能の両方を兼ねており、構造の簡略化、コストダウンを図れる。
尚、前記実施例では、係止部材６の内側に緩衝部材５を設けた２重構造としたが、緩衝部材５を削除しても良い。
【実施例２】
【００１５】
図６は第２実施例で、図６は釣糸係止装置の要部拡大側面図である。
【００１６】
釣糸係止装置Ａは、スプ−ル４の円筒スカ−ト部４ｃの外周の前側に段部４ｆで半円形状の大径の凹部４ｇが形成されている。
更に大径の凹部４ｇの中に前方が開放された凹部４ｈと前後方向に長い貫通孔４ｋが釣糸放出方向の前方に向けて、ロ−タ８の巻取り方向とは反対方向の右側に傾斜して形成されている。
他の構成は前記第１実施例と略同一である。
【実施例３】
【００１７】
図７は第３実施例で、図７は釣糸係止装置の要部拡大側面図である。
【００１８】
釣糸係止装置Ａは、スプ−ル４の円筒スカ−ト部４ｃの外周の前側に段部４ｆで半円形状の大径の凹部４ｇが形成されている。
更に大径の凹部４ｇの中に前方が開放された凹部４ｈと前後方向に長い貫通孔４ｍが釣糸放出方向の前方に向けて、ロ−タ８の巻取り方向の左側に傾斜して形成されている。
他の構成は前記第１実施例と略同一である。
【実施例４】
【００１９】
図８は第４実施例で、図８は釣糸係止装置の要部拡大側面図である。
【００２０】
釣糸係止装置Ａは、スプ−ル４の円筒スカ−ト部４ｃの外周の前側に段部４ｆで半円形状の大径の凹部４ｇが形成されている。
更に大径の凹部４ｇの中に前方が開放された凹部４ｈと前後方向に長い貫通孔４ｎが前方の中央と右側と左側にそれぞれ傾斜した一体の前方に幅広の扇状とした長孔状の貫通孔に形成されている。
他の構成は前記第１実施例と略同一である。
【産業上の利用可能性】
【００２１】
魚釣用スピニングリ−ル以外の他の魚釣用リ−ル等の釣糸係止装置に実施してもよい。
なお、本発明は、前述した実施形態に限定されることなく、その要旨を逸脱しない範囲で種々変形実施できることは言うまでもない。
【図面の簡単な説明】
【００２２】
【図１】第１実施例で、魚釣用スピニングリ−ルの側面図である。
【図２】同釣糸係止装置の要部拡大断面側面図である。
【図３】同釣糸係止装置の要部拡大側面図である。
【図４】同釣糸係止装置の分割外観斜視図である。
【図５】同釣糸が係止された釣糸係止装置の要部拡大断面側面図である。
【図６】第２実施例で、釣糸係止装置の要部拡大側面図である。
【図７】第３実施例で、釣糸係止装置の要部拡大側面図である。
【図８】第４実施例で、釣糸係止装置の要部拡大側面図である。
【符号の説明】
【００２３】
Ａ  釣糸係止装置
４  スプ−ル
４ｅ、４ｋ、４ｍ、４ｎ  貫通孔
４ｉ  内面
６  係止部材
６ａ  軸部
６ｃ  釣糸係止部
７  バネ部材
１６  釣糸
【図１】
2010148477.tif 000003
【図２】
2010148477.tif 000004
【図３】
2010148477.tif 000005
【図４】
2010148477.tif 000006
【図５】
2010148477.tif 000007
【図６】
2010148477.tif 000008
【図７】
2010148477.tif 000009
【図８】
2010148477.tif 000010